(57)【特許請求の範囲】
【請求項１】
レンズ光学系と、
前記レンズ光学系を介して被写体を撮像し、画像信号を出力する撮像部と、
前記撮像部が出力する画像信号を画像処理して画像データを出力する画像処理部と、
前記画像処理部が出力する画像データを記憶する記憶部と、
前記記憶部に記憶された画像データを表示する表示部と、
筐体の姿勢を検出する傾き検出センサと、
前記筐体上に設けられた検出スイッチと、
前記検出スイッチが押下されている場合は、前記傾き検出センサの出力に応じて所定の操作を実行し、前記検出スイッチの押下状態が解除された時点で所定の操作を確定する制御部と、
前記傾き検出センサの出力信号から筐体の水平方向の重力加速度成分を検出する静的加速度検出部と
を設け、
前記制御部は、前記検出スイッチが押下されている場合であっても、前記検出スイッチが押下された時の筐体の位置における前記静的加速度検出部の検出信号を基準として、前記静的加速度検出部の検出信号の絶対値が減衰する方向に変化している時は、前記所定の操作を実行しない
ことを特徴とする電子カメラ。
【請求項２】
請求項１に記載の電子カメラにおいて、
撮影モードと再生モードとを切り替えるモード切替スイッチを更に設け、
前記制御部は、前記モード切替スイッチが撮影モードの場合に、前記検出スイッチが押下されている時は、前記表示部に表示されたメニューから、前記傾き検出センサの出力に応じてメニュー選択を行い、前記検出スイッチの押下状態が解除された時点で選択されているメニューを実行し、前記モード切替スイッチが再生モードの場合に、前記検出スイッチが押下されている時は、前記記憶部に記憶された複数の画像データを１枚ずつ読み出して前記表示部に表示し、前記傾き検出センサの出力に応じて、前記表示部に表示する画像データの送り戻しを実行する
ことを特徴とする電子カメラ。
【請求項３】
請求項２に記載の電子カメラにおいて、
前記制御部は、前記電子カメラの姿勢を動かす方向と、前記表示部に表示されたメニューの移動方向または画像データの送り戻し方向とが一致するように制御する
ことを特徴とする電子カメラ。
【発明の詳細な説明】
【技術分野】
【０００１】
本発明は、直感的な操作が可能な電子カメラに関する。
【背景技術】
【０００２】
一般的な電子カメラは、カーソルキーや決定ボタンなど様々な操作インターフェースを有している。このため、電子カメラの小型化が難しく、使用者は複雑な操作を要求される。そこで、電子カメラの操作ボタンを減らすために、３軸加速度検出素子を搭載した電子カメラ本体の姿勢を検知して、電子カメラ本体の姿勢に応じた操作を実行する技術が検討されている（例えば、特許文献１参照）。
【０００３】
ところが、３軸加速度検出素子の出力信号を利用して電子カメラを操作する場合、電子カメラの動きや姿勢によって誤動作する可能性がある。
【０００４】
従来、誤動作を防ぐために、３軸加速度検出素子の出力信号の有効／無効を選択すると共に、操作を決定するための多段型スイッチ（１つのスイッチでスイッチを押す段階毎に出力を得るもの）を搭載し、１段目を押下中は３軸加速度検出素子の出力信号が有効となり、２段目を押下すると操作が決定されるようになっていた。
【０００５】
或いは、３軸加速度検出素子の出力信号に閾値を設定して、閾値以下の出力信号を無効にする方法が考えられていた。
【特許文献１】特開２００６−３０９０６４号公報
【発明の開示】
【発明が解決しようとする課題】
【０００６】
ところが、従来技術は、電子カメラ本体の動きや姿勢が、電子カメラ本体に予め記憶された所定の動きや姿勢に一致した場合に、これに対応したコマンドを実行するようになっており、使用者は電子カメラの所定の動きや姿勢とコマンドとの対応を覚えておかなければならなかった。
【０００７】
また、３軸加速度検出素子の出力信号の有効／無効や、操作を決定するための多段型スイッチを用いた場合は、１段目を操作中に２段目を押下してしまう可能性があった。
【０００８】
さらに、３軸加速度検出素子の出力信号に閾値を設定して、閾値以下の出力信号を無効にする方法は、閾値以上であれば、その動作は有効となってしまうため、電子カメラ本体の動かし方によっては、意図しない操作が実行されてしまう可能性があった。例えば、操作前の位置に戻す時の動作を検出して、意図する操作とは逆の操作が実行されてしまう恐れがあった。
【０００９】
本発明の目的は、電子カメラ本体の動きや姿勢に応じて、誤動作なく、直感的に操作することが可能な電子カメラを提供することである。
【課題を解決するための手段】
【００１０】
本発明に係る電子カメラは、レンズ光学系と、前記レンズ光学系を介して被写体を撮像し、画像信号を出力する撮像部と、前記撮像部が出力する画像信号を画像処理して画像データを出力する画像処理部と、前記画像処理部が出力する画像データを記憶する記憶部と、前記記憶部に記憶された画像データを表示する表示部と、筐体の姿勢を検出する傾き検出センサと、前記筐体上に設けられた検出スイッチと、前記検出スイッチが押下されている場合は、前記傾き検出センサの出力に応じて所定の操作を実行し、前記検出スイッチの押下状態が解除された時点で所定の操作を確定する制御部と、前記傾き検出センサの出力信号から筐体の水平方向の重力加速度成分を検出する静的加速度検出部とを設け、前記制御部は、前記検出スイッチが押下されている場合であっても、前記検出スイッチが押下された時の筐体の位置における前記静的加速度検出部の検出信号を基準として、前記静的加速度検出部の検出信号の絶対値が減衰する方向に変化している時は、前記所定の操作を実行しないことを特徴とする。
【００１２】
さらに、撮影モードと再生モードとを切り替えるモード切替スイッチを更に設け、前記制御部は、前記モード切替スイッチが撮影モードの場合に、前記検出スイッチが押下されている時は、前記表示部に表示されたメニューから、前記傾き検出センサの出力に応じてメニュー選択を行い、前記検出スイッチの押下状態が解除された時点で選択されているメニューを実行し、前記モード切替スイッチが再生モードの場合に、前記検出スイッチが押下されている時は、前記記憶部に記憶された複数の画像データを１枚ずつ読み出して前記表示部に表示し、前記傾き検出センサの出力に応じて、前記表示部に表示する画像データの送り戻しを実行することを特徴とする。
【００１３】
特に、前記制御部は、前記電子カメラの姿勢を動かす方向と、前記表示部に表示されたメニューの移動方向または画像データの送り戻し方向とが一致するように制御することを特徴とする。
【発明の効果】
【００１４】
本発明に係る電子カメラは、傾き検出センサによって直感的な操作を行うことができ、カーソルキーや決定ボタンを無くすことができる。特に、電子カメラのメニュー操作時はカーソル操作に限定し、画像再生時は画像送り操作に限定することで、使用者は電子カメラの動きや姿勢とコマンドとの対応を記憶する必要がなくなり、画像を確認しながら直感的な操作が可能となる。また、検出スイッチを押している間は傾き検出センサの出力を有効とし、検出スイッチを離すと操作が決定されるようにし、ダブルクリックで前のメニューに戻るようにしたので、スイッチの個数を減らすと共に、複雑なスイッチが不要となる。さらに、傾き検出センサの出力信号を用いて、静的加速度検出を行うようにしたので、誤動作を防止することができる。
【発明を実施するための最良の形態】
【００１５】
以下、図面を参照して本発明の各実施形態について詳しく説明する。
（第１の実施形態）
図１は第１の実施形態に係る電子カメラ１０１のブロック図である。電子カメラ１０１は、レンズ１０２と、撮像部１０３と、画像処理部１０４と、制御部１０５と、液晶表示部１０６と、記憶部１０７と、メモリカード１０８と、操作パネル１０９と、傾き検出センサ１１０とで構成される。
【００１６】
電子カメラ１０１において、レンズ１０２から入射した被写体からの光は、撮像部１０３の受光面に結像される。撮像部１０３は受光面に結像された光を電気信号に変換し、さらにＡ／Ｄ変換してデジタル画像データを画像処理部１０４に出力する。
【００１７】
画像処理部１０４は、撮像部１０３から入力する画像データに所定の画像圧縮処理を行い、制御部１０５に出力する。
【００１８】
制御部１０５は、予め記憶されたプログラムに従って動作し、電子カメラ１０１の各部を制御する。例えば、画像処理部１０４から入力した画像データを、液晶表示部１０６に表示したり、記憶部１０７やメモリカード１０８に記憶する。使用者は、操作パネル１０９にある操作キーや操作ボタンなどを用いて電子カメラ１０１を操作する。
【００１９】
図２は、電子カメラ１０１の外観を示す斜視図である。電子カメラ１０１の筐体には、液晶表示部１０６の他に、操作パネル１０９に含まれるレリーズボタン１５１，検出スイッチ１５２，モード切り替えスイッチ１５３，電源ボタン１５４が設けられている。尚、本実施形態の電子カメラ１０１は、モード切り替えスイッチ１５３によって、撮影モードと再生モードとを選択できるようになっている。撮影モードでは、撮像部１０３で撮影する画像を液晶表示部１０６にスルー画像として表示して、レリーズボタン１５１を押すと表示されている画像が撮影されて、記憶部１０７やメモリカード１０８に記憶される。再生モードでは、記憶部１０７やメモリカード１０８に記憶された撮影済みの画像を液晶表示部１０６に表示される。
【００２０】
次に、傾き検出センサ１１０について詳しく説明する。傾き検出センサ１１０は、３軸加速度検出素子で構成され、電子カメラ１０１のｘ軸方向，ｙ軸方向，ｚ軸方向の動的加速度成分を電圧に変換して、制御部１０５に出力する。図３は、傾き検出センサを使用した一例として、電子カメラ１０１の姿勢の変化と、傾き検出センサ１１０のｘ軸，ｙ軸，ｚ軸方向の動的加速度成分の出力電圧との関係を示した図である。尚、パターンＡからパターンＨの８種類のパターンを示す図において、電子カメラ１０１はｘｙ平面上に、液晶表示部１０６をｚ軸プラス方向に向けて置かれている。また、例示したように、電子カメラ１０１の方向を上部，下部，右部，左部として説明する。
【００２１】
図３において、パターンＡは、電子カメラ１０１の下部を軸として上部をｚ軸マイナス方向に下げた場合を示している。この場合は、図３右側に示した傾き検出センサ１１０の出力電圧を示すパターンＡのグラフにおいて、傾き検出センサ１１０のｘ軸方向の出力は変化せず、ｙ軸方向とｚ軸方向の出力がマイナスに変化する。パターンＢは、電子カメラ１０１の上部を軸として下部をｚ軸マイナス方向に下げた場合を示している。この場合は、パターンＢのグラフにおいて、傾き検出センサ１１０のｘ軸方向の出力は変化せず、ｙ軸方向の出力がプラスに、ｚ軸方向の出力がマイナスに変化する。
【００２２】
同様に、パターンＣは、電子カメラ１０１の下部を軸として上部をｚ軸プラス方向に上げた場合を示している。この場合は、パターンＣのグラフにおいて、傾き検出センサ１１０のｘ軸方向の出力は変化せず、ｙ軸方向の出力がマイナスに、ｚ軸方向の出力がプラスに変化する。パターンＤは、電子カメラ１０１の上部を軸として下部をｚ軸プラス方向に上げた場合を示している。この場合は、パターンＤのグラフにおいて、傾き検出センサ１１０のｘ軸方向の出力は変化せず、ｙ軸方向とｚ軸方向の出力がプラスに変化する。
【００２３】
また、パターンＥは、電子カメラ１０１の左部を軸として右部をｚ軸マイナス方向に下げた場合を示している。この場合は、パターンＥのグラフにおいて、傾き検出センサ１１０のｙ軸方向の出力は変化せず、ｘ軸方向とｚ軸方向の出力がマイナスに変化する。パターンＦは、電子カメラ１０１の右部を軸として左部をｚ軸マイナス方向に下げた場合を示している。この場合は、パターンＦのグラフにおいて、傾き検出センサ１１０のｙ軸方向の出力は変化せず、ｘ軸方向の出力がプラスに、ｚ軸方向の出力がマイナスに変化する。
【００２４】
同様に、パターンＧは、電子カメラ１０１の左部を軸として右部をｚ軸プラス方向に上げた場合を示している。この場合は、パターンＧのグラフにおいて、傾き検出センサ１１０のｙ軸方向の出力は変化せず、ｘ軸方向の出力がマイナスに、ｚ軸方向の出力がプラスに変化する。パターンＨは、電子カメラ１０１の右部を軸として左部をｚ軸プラス方向に上げた場合を示している。この場合は、パターンＨのグラフにおいて、傾き検出センサ１１０のｙ軸方向の出力は変化せず、ｘ軸方向とｚ軸方向の出力がプラスに変化する。
【００２５】
このように、制御部１０５は、傾き検出センサ１１０のｘ軸，ｙ軸，ｚ軸方向の動的加速度成分の出力電圧をモニタすることで、電子カメラ１０１の姿勢の変化を検出することができる。例えば、表１に示すように、パターンＡからパターンＤの動作を撮影モードのメニュー操作時に使用し、パターンＥからパターンＨの動作を再生モードのページ送りに使用することができる。
【００２６】
【表１】
0005007619.tif 000002
次に、本実施形態に係る電子カメラ１０１の動作について、図４および図５のフローチャートを用いて詳しく説明する。尚、これらの一連の処理は、制御部１０５に予め記憶されたプログラムに従って実行される。
（ステップＳ２０１）電子カメラ１０１の電源ボタン１５４を押して電源が投入されると処理を開始する。
（ステップＳ２０２）操作パネル１０９に含まれるモード切り替えスイッチ１５３が撮影モードになっているか否かを判別し、撮影モードになるまで以下の処理は実行されない。撮影モードに切り替えられた場合は、次のステップＳ２０３に進む。尚、撮影モードに切り替えられると、電子カメラ１０１は撮影待機状態となる。撮影待機状態では、撮像部１０３が撮影しているスルー画像が液晶表示部１０６に表示され、レリーズボタン１５１を押すと液晶表示部１０６に表示されている構図で画像が撮影されて、記憶部１０７やメモリカード１０８に記憶される。
（ステップＳ２０３）操作パネル１０９に含まれる検出スイッチ１５２が押されている（ＯＮ）か否かを判別し、先に説明した撮影待機状態のままで、検出スイッチ１５２が押されるのを待つ。検出スイッチ１５２が押されると、次のステップＳ２０４に進む。
（ステップＳ２０４）撮影待機状態で液晶表示部１０６に表示されていたスルー画像をメニュー画面に切り替える。メニュー画面は、例えば図６（ａ）に示すような画面で、液晶表示部１０６に複数の選択メニューがメイン１からメイン６のように表示される。
（ステップＳ２０５）操作パネル１０９に含まれる検出スイッチ１５２がダブルクリックされたか否かを判別する。ダブルクリックされた場合はステップＳ２０６に進み、ダブルクリックされていない場合はステップＳ２０７に進む。
【００２７】
ここで、ダブルクリックについて図７を用いて説明する。図７は、横軸に時間ｔを取って、検出スイッチ１５２のＯＮ／ＯＦＦの変化を表した図である。検出スイッチ１５２を押したままの状態から、Ｔ１の時間だけ検出スイッチ１５２を離した後、次に検出スイッチ１５２が押された時点からダブルクリックを判断する。つまり、期間Ｔ１と、そのＯＦＦの期間の後、１回目のＯＮの立ち上がりから一旦ＯＦＦの期間を経て、２回目のＯＮの立ち上がりまでの期間Ｔ２の合計を、ダブルクリック判定用に設定された所定の期間Ｔ３と比較することで判断する。Ｔ２およびＴ３の値はユーザが予め自由に設定できるようにしておき、期間Ｔ２終了までの期間がＴ３未満の場合はダブルクリックと判断し、Ｔ３以上の場合はダブルクリックではないと判断する。尚、Ｔ３の期間においては、サブメニューは表示されず、クリック操作はダブルクリックのみ有効とする。
（ステップＳ２０６）ステップＳ２０４で液晶表示部１０６に表示されていたメニュー画面を撮影待機状態のスルー画像に切り替え、ステップＳ２０３に戻る。
（ステップＳ２０７）制御部１０５は、傾き検出センサ１１０のｘ軸，ｙ軸，ｚ軸方向の動的加速度成分の出力信号を取り込む。
（ステップＳ２０８）制御部１０５は、傾き検出センサ１１０のｘ軸，ｙ軸，ｚ軸方向の動的加速度成分の出力信号から、図３で説明したように、電子カメラ１０１の傾きを判断する。
さらに、制御部１０５は、電子カメラ１０１の傾きに応じて、液晶表示部１０６に表示されている複数の選択メニュー上をカーソル移動させる。例えば、図６（ａ）に示すように、グレー表示されたメイン３のメニューにカーソルがあった場合に、電子カメラ１０１を図３のパターンＡまたはパターンＤのように動かすと、メイン３のメニューからメイン２、さらにメイン１のメニューへとカーソルが移動する。逆に、電子カメラ１０１を図３のパターンＢまたはパターンＣのように動かすと、メイン３のメニューからメイン４へ、さらにメイン５，メイン６のメニューへとカーソルが移動する。尚、メニューがメイン７，メイン８と続く場合は、メニュー自体をスクロールしながら液晶表示部１０６に表示する。
このようにして、メニュー上をカーソル移動させて、所望のメニューを選択する。尚、選択されたメニューは、図６（ａ）のメイン３のメニューのように、グレー表示されるので、容易に確認できる。
（ステップＳ２０９）操作パネル１０９に含まれる検出スイッチ１５２が押されている（ＯＮ）か否かを判別する。検出スイッチ１５２が押されたままの状態である場合は、ステップＳ２０７に戻って、メニューの選択動作を続ける。検出スイッチ１５２が離された場合は、図５の次のステップＳ２１０に進む。
（ステップＳ２１０）検出スイッチ１５２が離された場合は、その時点でグレー表示されて選択されていたメインメニューに決定し、選択されていたメインメニューに従属するサブメニューを表示するサブメニュー画面に切り替える。サブメニュー画面は図６（ｂ）に示すような画面で、例えばメインメニューのメイン３が選択された場合は、液晶表示部１０６に複数の選択サブメニューがサブ１からサブ６のように表示される。
（ステップＳ２１１）操作パネル１０９に含まれる検出スイッチ１５２が押されている（ＯＮ）か否かを判別し、サブメニュー表示のままで、検出スイッチ１５２が押されるのを待つ。検出スイッチ１５２が押されると、次のステップＳ２１２に進む。
（ステップＳ２１２）制御部１０５は、傾き検出センサ１１０のｘ軸，ｙ軸，ｚ軸方向の動的加速度成分の出力信号を取り込む。
（ステップＳ２１３）操作パネル１０９に含まれる検出スイッチ１５２がダブルクリックされたか否かを判別する。ダブルクリックされていない場合はステップＳ２１５に進み、ダブルクリックされた場合はステップＳ２１４に進む。
（ステップＳ２１４）液晶表示部１０６に表示されていたサブメニュー画面を消去し、ステップＳ２０４に戻って、メインメニュー画面を表示する。
（ステップＳ２１５）制御部１０５は、ステップＳ２１２で取り込んだ傾き検出センサ１１０のｘ軸，ｙ軸，ｚ軸方向の動的加速度成分の出力信号から、図３で説明したように、電子カメラ１０１の傾きを判断する。
さらに、制御部１０５は、電子カメラ１０１の傾きに応じて、液晶表示部１０６に表示されている複数の選択サブメニュー上をカーソル移動させる。例えば、図６（ｂ）に示すように、グレー表示されたサブ２のメニューにカーソルがあった場合に、電子カメラ１０１を図３のパターンＡまたはパターンＤのように動かすと、サブ２のメニューからサブ１のメニューへとカーソル移動する。逆に、電子カメラ１０１を図３のパターンＢまたはパターンＣのように動かすと、サブ２のメニューからサブ３へ、さらにサブ４，サブ５，サブ６のメニューへとカーソル移動する。尚、メインメニューの場合と同様に、サブメニューがサブ７，サブ８と続く場合は、サブメニュー自体をスクロールしながら液晶表示部１０６に表示する。
このようにして、サブメニュー上をカーソル移動させて、所望のサブメニューを選択する。尚、選択されたサブメニューは、図６（ｂ）のサブ２のメニューのように、グレー表示されるので、容易に確認できる。
（ステップＳ２１６）操作パネル１０９に含まれる検出スイッチ１５２が押されている（ＯＮ）か否かを判別する。検出スイッチ１５２が押されたままの状態である場合は、ステップＳ２１７に進み、検出スイッチ１５２が離された場合は、ステップＳ２１８に進む。
（ステップＳ２１７）制御部１０５は、傾き検出センサ１１０のｘ軸，ｙ軸，ｚ軸方向の動的加速度成分の出力信号を取り込み、ステップＳ２１５に戻る。
（ステップＳ２１８）検出スイッチ１５２が離された場合は、その時点でグレー表示されて選択されていたサブメニューに決定する。
（ステップＳ２１９）ステップＳ２１８で決定されたサブメニューで良いか否かを確認するメッセージを液晶表示部１０６に表示する。
（ステップＳ２２０）操作パネル１０９に含まれる検出スイッチ１５２がダブルクリックされたか否かを判別する。ダブルクリックされていない場合はステップＳ２２２に進み、ダブルクリックされた場合はステップＳ２２１に進む。
（ステップＳ２２１）液晶表示部１０６に表示されていた確認メッセージを消去し、ステップＳ２１０に戻って、サブメニュー画面を表示する。
（ステップＳ２２２）操作パネル１０９に含まれる検出スイッチ１５２がシングルクリックされたか否かを判別する。シングルクリックされていない場合はステップＳ２２０に戻り、シングルクリックされた場合はステップＳ２２３に進む。
（ステップＳ２２３）液晶表示部１０６に表示されていた確認メッセージを消去し、ステップＳ２１８で決定されたサブメニューを実行する。その後、液晶表示部１０６の画面を撮影待機状態のスルー画像に切り替える。
（ステップＳ２２４）メニュー選択処理を終了する。尚、この状態で再びステップＳ２０２に戻るようにしても構わない。
【００２８】
このように、モード切り替えスイッチ１５３が撮影モードになっている場合は、検出スイッチ１５２を押しながら電子カメラ１０１の姿勢を変えることによって、メニュー画面を見ながらメニューの選択や実行を行うことができる。特に、液晶表示部１０６に表示されているメニューを見ながら、カーソルを動かしたい方向に電子カメラ１０１を傾けることによって、傾けた方向にカーソルが移動するので、視覚的にカーソルを移動してメニューの選択を行うことができる。
【００２９】
次に、モード切り替えスイッチ１５３が再生モードになっている場合の電子カメラ１０１の動作について、図８のフローチャートを用いて説明する。
（ステップＳ３０１）電子カメラ１０１の電源ボタン１５４を押して電源が投入されると処理を開始する。
（ステップＳ３０２）操作パネル１０９に含まれるモード切り替えスイッチ１５３が再生モードになっているか否かを判別し、再生モードになるまで以下の処理は実行されない。再生モードに切り替えられた場合は、次のステップＳ３０３に進む。尚、再生モードに切り替えられると、電子カメラ１０１は記憶部１０７やメモリカード１０８に記憶されている画像を液晶表示部１０６に表示する再生状態となる。再生画面は、例えば図９（ａ）に示すような画面で、液晶表示部１０６に記憶部１０７やメモリカード１０８に記憶されている画像が表示される。尚、この時、液晶表示部１０６の画面の下部には、記憶されている画像の枚数と表示している画像が何枚目かを示す番号が表示される。例えば、図９（ａ）の場合は、全部で１０枚の画像が記憶部１０７またはメモリカード１０８に記憶されていて、その中の１枚目の画像が表示されていることを示す。さらに、前後のページに画像があるか否かを示す三角印が表示され、三角印が黒い場合は次の画像があることを示し、三角印が白い場合は次の画像がないことを示す。例えば、図９（ａ）の場合は、１枚目の画像が表示されているので、それより前のページには画像が無く、後のページには２枚目以降の画像があることを示す。
（ステップＳ３０３）操作パネル１０９に含まれる検出スイッチ１５２が押されている（ＯＮ）か否かを判別し、１枚目の画像が表示された再生状態のままで、検出スイッチ１５２が押されるのを待つ。検出スイッチ１５２が押されると、次のステップＳ３０４に進む。
（ステップＳ３０４）制御部１０５は、傾き検出センサ１１０のｘ軸，ｙ軸，ｚ軸方向の動的加速度成分の出力信号を取り込む。
（ステップＳ３０５）制御部１０５は、傾き検出センサ１１０のｘ軸，ｙ軸，ｚ軸方向の動的加速度成分の出力信号から、図３で説明したように、電子カメラ１０１の傾きを判断する。
さらに、制御部１０５は、電子カメラ１０１の傾きに応じて、液晶表示部１０６に表示されている画像のページ送りを行う。例えば、図９（ａ）に示されたように１枚目の画像が表示された状態で、電子カメラ１０１を図３のパターンＥまたはパターンＨのように動かすと、図９（ｂ）に示されたように２枚目の画像が表示される。逆に、図９（ｂ）に示されたように２枚目の画像が表示された状態で、電子カメラ１０１を図３のパターンＦまたはパターンＧのように動かすと、図９（ａ）に示されたように１枚目の画像が表示される。
（ステップＳ３０６）操作パネル１０９に含まれる検出スイッチ１５２が押されている（ＯＮ）か否かを判別する。検出スイッチ１５２が押されたままの状態である場合は、ステップＳ３０４に戻って、画像のページ送りの選択動作を続ける。検出スイッチ１５２が離された場合は、ステップＳ３０７に進む。
（ステップＳ３０７）操作パネル１０９に含まれる電源スイッチ１５４が押されるか、モード切り替えスイッチ１５３が撮影モードに切り替えられた場合はステップＳ３０８に進み、それ以外の場合はステップＳ３０６に戻り、液晶表示部１０６に表示されている画像がそのまま維持される。
（ステップＳ３０８）再生モードの処理を終了する。
【００３０】
ところで、図３で説明したように、傾き検出センサ１１０のｘ軸，ｙ軸，ｚ軸方向の動的加速度成分の出力信号から、図３で説明したように、電子カメラ１０１の傾きを判断するが、例えば、図３のパターンＡとパターンＣは逆の動作で、検出スイッチ１５２を押しながらパターンＡの動作をした後、戻す場合の動作はパターンＣのような動きになる。先に述べたフローチャートでは、検出スイッチ１５２を押しながらパターンＡの動作をした後、検出スイッチ１５２を離した後で元の姿勢に戻すパターンＣの動作を行うことを想定しており、検出スイッチ１５２が離されているのでパターンＣの動作を実行することはない。
【００３１】
ところが、検出スイッチ１５２を離す動作が遅れると、誤ってパターンＣの動作を実行してしまう恐れがある。そこで、本実施形態では、静的加速度（重力加速度）の情報を利用する。次に、静的加速度について、図１０を用いて説明する。図１０において、水平線４０２にあった電子カメラ１０１が線４０１で示す位置まで角度θだけ傾いた場合、重力ｇに対して、電子カメラ１０１は（ｇ・sinθ）の加速度成分を受ける。この静的加速度成分（ｇ・sinθ）をグラフで表すと図１１（ａ）のようになる。尚、図１１（ａ）において、縦軸は傾き検出センサ１１０の出力電圧、横軸は角度θの変化を示している。また、傾き検出センサ１１０の出力電圧は絶対値を取っているので常にプラス側にある。
【００３２】
図１１（ａ）において、電子カメラ１０１が角度＋θだけ傾いた位置５０１から０°の位置に戻される場合、傾き検出センサ１１０の出力電圧はＶθから０に向かって減少することが分かる。逆方向に電子カメラ１０１が角度−θだけ傾いた位置５０２から０°の位置に戻される場合も、同様に傾き検出センサ１１０の出力電圧はＶθから０に向かって減少する。
【００３３】
先に述べた場合に当てはめると、検出スイッチ１５２を押しながら図３のパターンＡの動作をした後、戻す場合の動作はパターンＣのような動きになるが、静的加速度成分は、パターンＡの動作をした時は増加する方向に動き、パターンＡの動作から戻す場合は図１１（ａ）のように減少する方向に動くことになる。そこで、制御部１０５は、電子カメラ１０１の傾きに応じて制御する時に、図１１（ａ）のように静的加速度成分が減少する方向に動く場合は、その動作を無効とすることで、誤った動作を防ぐことができる。
【００３４】
図１１（ａ）では、分かり易いように、０°の位置を基準にしたが、電子カメラ１０１がθ0°だけ傾いた状態から検出スイッチ１５２を押して制御する場合でも図１１（ｂ）に示すように同様に考えることができる。つまり、図１１（ｂ）において、傾き検出センサ１１０の出力電圧ΔＶsのオフセット電圧を中心に絶対値を取ることによって、位置５０３を基準にして静的加速度成分の増減を判別することができる。
【００３５】
このように、本実施形態に係る電子カメラ１０１は、傾き検出センサ１１０によって直感的な操作を行うことができ、操作パネル１０９からカーソルキーや決定ボタンを無くすことができる。特に、電子カメラ１０１のメニュー操作時はカーソル操作に限定し、画像再生時は画像送り操作に限定することで、使用者は電子カメラ１０１の動きや姿勢とコマンドとの対応を記憶する必要がなくなり、液晶モニタ１０６に表示された画面を確認しながら直感的な操作が可能となる。また、検出スイッチ１５２を押している間は傾き検出センサ１１０の出力を有効とし、検出スイッチ１５２を離すとその時点で操作が決定されるようにし、検出スイッチ１５２のダブルクリックで前のメニューに戻るようにしたので、スイッチの個数を減らすと共に、複雑なスイッチが不要となる。さらに、傾き検出センサ１１０の出力信号を用いて、静的加速度検出を行うようにしたので、電子カメラ１０１の姿勢を戻す動作での誤動作を防止することができる。
【００３６】
尚、上記実施形態では、撮影した複数枚の静止画像を１枚ずつ液晶モニタ１０６に表示する際に、検出スイッチ１５２を押しながら電子カメラ１０１を左右に傾けて前の画像や次の画像に切り替える例を示した。
【００３７】
これ以外にも、静止画像の一部を液晶モニタ１０６に拡大表示している際に、検出スイッチ１５２を押しながら電子カメラ１０１を前後左右に傾ける動作に応じて、拡大表示している部分を前後左右に移動して表示するようにしても構わない。
【００３８】
或いは、動画像の再生中に、検出スイッチ１５２を押しながら電子カメラ１０１を前後または左右に傾けると早送りや巻き戻しを行うようにしても構わない。
【００３９】
尚、本実施形態で説明した構成は、電子カメラ１０１だけでなく、携帯電話，携帯ゲーム機，携帯音楽再生装置，携帯テレビなど様々な用途にも適用することができる。
【図面の簡単な説明】
【００４０】
【図１】第１の実施形態に係る電子カメラ１０１の構成を示すブロック図である。
【図２】第１の実施形態に係る電子カメラ１０１の外観を示す斜視図である。
【図３】電子カメラ１０１の姿勢と傾き検出センサ１１０の出力の関係を示す説明図である。
【図４】第１の実施形態に係る電子カメラ１０１の撮影モードの動作を示すフローチャートである。
【図５】第１の実施形態に係る電子カメラ１０１の撮影モードの動作を示すフローチャートである。
【図６】メニュー画面の一例を示す説明図である。
【図７】ダブルクリックを説明するための説明図である。
【図８】第１の実施形態に係る電子カメラ１０１の再生モードの動作を示すフローチャートである。
【図９】再生画面の一例を示す説明図である。
【図１０】静的加速度を説明するための説明図である。
【図１１】静的加速度の変化を示す説明図である。
【符号の説明】
【００４１】
１０１・・・電子カメラ        １０２・・・レンズ
１０３・・・撮像部            １０４・・・画像処理部
１０５・・・制御部            １０６・・・液晶表示部
１０７・・・記憶部            １０８・・・メモリカード
１０９・・・操作パネル        １１０・・・傾き検出センサ
１５１・・・レリーズボタン    １５２・・・検出スイッチ
１５３・・・モード切り替えスイッチ
１５４・・・電源ボタン
【図１】
0005007619.tif 000003
【図２】
0005007619.tif 000004
【図３】
0005007619.tif 000005
【図４】
0005007619.tif 000006
【図５】
0005007619.tif 000007
【図６】
0005007619.tif 000008
【図７】
0005007619.tif 000009
【図８】
0005007619.tif 000010
【図９】
0005007619.tif 000011
【図１０】
0005007619.tif 000012
【図１１】
0005007619.tif 000013